【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
電子写真感光体を支持するための第１フレームと、前記電子写真感光体に形成された潜像を現像するための現像部材を支持するための第２フレームとを結合するための結合部材であって、
（ａ）基体と、
（ｂ）前記第１フレームと前記第２フレームとを互いに回動可能に結合するための軸を取り付けるための、前記基体に設けられた軸取り付け部と、
（ｃ）前記第１フレームと前記第２フレームとの間に弾性力を付与するための弾性部材を前記第２フレームに対して押圧するための、前記基体に設けられた押圧部と、
（ｄ）前記基体を前記第１フレームに固定するための、前記基体に設けられた固定部と、
を有することを特徴とする結合部材。
【請求項２】
電子写真感光体ドラムを支持するための第１フレームと、前記電子写真感光体ドラムに形成された潜像を現像するための現像ローラを支持するための第２フレームとを結合するための結合部材であって、
（ａ）平坦部と、前記平坦部の側端から前記平坦部の長手方向へ延出している延出部とを有している基体，
（ｂ）前記第１フレームと前記第２フレームとを互いに回動可能に結合するための軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸の一端が嵌合可能である，
（ｃ）前記第１フレームと前記第２フレームとの間に弾性力を付与するためのコイルスプリングを前記第２フレームに対して押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合可能である，
（ｄ）前記基体を前記第１フレームに固定するための、前記平坦部に設けられた固定部、
を有することを特徴とする結合部材。
【請求項３】
電子写真感光体ドラムと、前記電子写真感光体ドラムに残留するトナーを除去するためのクリーニング部材と、前記電子写真感光体ドラムを帯電するための帯電ローラとを支持するための第１フレームと、前記電子写真感光体ドラムに形成された潜像を現像するための現像ローラとを支持するための第２フレームとを結合するための結合部材であって、
（ａ）平坦部と、前記平坦部から延出している延出部とを有している基体，
（ｂ）前記第１フレームと前記第２フレームとを互いに回動可能に結合するための軸，
（ｃ）前記軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸の一端が嵌合している，
（ｄ）前記第１フレームと前記第２フレームとの間に弾性力を付与するためのコイルスプリング，
（ｅ）前記第２フレームに対して前記コイルスプリングを押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合している，
（ｆ）前記基体を前記第１フレームに固定するための爪、ここで、前記爪は、前記軸取り付け部の位置する方向へ傾斜して前記平坦部から突出しており、前記軸取り付け部と略平行である、そして、その爪先が前記押圧部の位置する方向へ向いている、そして、前記爪が前記第１フレームに弾性的に係合することにより前記平坦部は前記第１フレームに固定される、
を有することを特徴とする結合部材。
【請求項４】
電子写真画像形成装置本体に着脱可能なプロセスカートリッジであって、
（ａ）電子写真感光体，
（ｂ）前記電子写真感光体に形成された潜像を現像するための現像部材，
（ｃ）前記電子写真感光体を支持している第１フレーム，
（ｄ）前記現像部材を支持している第２フレーム，
（ｅ）前記第１フレームと前記第２フレームとを結合している結合部材、ここで、前記結合部材は、以下を有する、
１．基体，
２．前記第１フレームと前記第２フレームとを互いに回動可能に結合している軸，
３．前記軸を取り付けるための、前記基体に設けられた軸取り付け部、ここで、前記軸の一端は、前記軸取り付け部に取り付けられている，
４．前記第１フレームと前記第２フレームとの間に弾性力を付与している弾性部材，
５．前記弾性部材を前記第２フレームに対して押圧するための、前記基体に設けられた押圧部、前記弾性部材は、前記押圧部により前記第２フレームに対して押圧されている，
６．前記基体を前記第１フレームに固定するための、前記基体に設けられた固定部、ここで、前記基体は、前記固定部において前記第１フレームに固定されている、
を有することを特徴とするプロセスカートリッジ。
【請求項５】
電子写真画像形成装置本体に着脱可能なプロセスカートリッジであって、
（ａ）電子写真感光体ドラム，
（ｂ）前記電子写真感光体ドラムに形成された潜像を現像するための現像ローラ，
（ｃ）前記電子写真感光体ドラムを支持している第１フレーム，
（ｄ）前記現像ローラを支持している第２フレーム，
（ｅ）前記第１フレームと前記第２フレームとを結合している結合部材、ここで、前記結合部材は、以下を有する、
１．平坦部と、前記平坦部の側端から前記平坦部の長手方向へ延出している延出部とを有している基体，
２．前記第１フレームと前記第２フレームとを互いに回動可能に結合している軸，
３．前記軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸が嵌合している，
４．前記第１フレームと前記第２フレームとの間に弾性力を付与しているコイルスプリング，
５．前記コイルスプリングを前記第２フレームに対して押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合している，
６．前記基体を前記第１フレームに固定するための、前記平坦部に設けられた固定部、ここで、前記基体は、前記固定部により前記第１フレームに固定されている、
を有することを特徴とするプロセスカートリッジ。
【請求項６】
電子写真画像形成装置本体に着脱可能なプロセスカートリッジであって、
（ａ）電子写真感光体ドラム，
（ｂ）前記電子写真感光体に形成された潜像を現像するための現像ローラ，
（ｃ）前記電子写真感光体ドラムに残留するトナーを除去するためのクリーニング部材，
（ｄ）前記電子写真感光体ドラムを帯電するための帯電ローラ，
（ｅ）前記電子写真感光体ドラムと前記クリーニング部材と前記帯電ローラとを支持している第１フレーム，
（ｆ）前記現像ローラを支持している第２フレーム，
（ｇ）前記第１フレームと前記第２フレームとを結合している結合部材、ここで、前記結合部材は、以下を有する、
１．平坦部と、前記平坦部から延出している延出部とを有している基体，
２．前記第１フレームと前記第２フレームとを互いに回動可能に結合している軸，
３．前記軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸の一端が嵌合している，
４．前記第１フレームと前記第２フレームとの間に弾性力を付与しているコイルスプリング，
５．前記第２フレームに対して前記コイルスプリングを押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合している，
６．前記基体を前記第１フレームに固定するための爪、ここで、前記爪は、前記軸取り付け部の位置する方向へ傾斜して前記平坦部から突出しており、前記軸取り付け部と略平行である、そして、その爪先が前記押圧部の位置する方向へ向いている、そして、前記爪が前記第１フレームに弾性的に係合することにより前記平坦部は前記第１フレームに固定されている、
を有することを特徴とするプロセスカートリッジ。
【請求項７】
電子写真画像形成装置本体に着脱可能なプロセスカートリッジの組立方法であって、
（ａ）第１フレームに電子写真感光体を支持させる第１工程
（ｂ）第２フレームに前記電子写真感光体に形成された潜像を現像するための現像部材を支持させる第２工程，
（ｃ）・基体と、
・前記第１フレームと前記第２フレームとを互いに回動可能に結合するための軸と、
・前記軸を取り付けるための、前記基体に設けられた軸取り付け部、ここで、前記軸の一端は、前記軸取り付け部に取り付けられている、
・前記第１フレームと前記第２フレームとの間に弾性力を付与するための弾性部材と、
・前記弾性部材を前記第２フレームに対して押圧するための、前記基体に設けられた押圧部、前記弾性部材は、前記押圧部に取り付けられている、
・前記基体を前記第１フレームに固定するための、前記基体に設けられた固定部、
を有する結合部材を用いて前記第１フレームと前記第２フレームとを結合する第３工程、
を有することを特徴とするプロセスカートリッジの組立方法。
【請求項８】
電子写真画像形成装置本体に着脱可能なプロセスカートリッジの組立方法であって、
（ａ）第１フレームに電子写真感光体ドラムを支持させる第１工程
（ｂ）第２フレームに前記電子写真感光体ドラムに形成された潜像を現像するための現像ローラを支持させる第２工程，
（ｃ）・平坦部と、前記平坦部の側端から前記平坦部の長手方向へ延出している延出部とを有している基体と、
・前記第１フレームと前記第２フレームとを互いに回動可能に結合するための軸と、
・前記軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸の一端が嵌合している、
・前記第１フレームと前記第２フレームとの間に弾性力を付与するためのコイルスプリングと、
・前記コイルスプリングを前記第２フレームに対して押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合している、
・前記基体を前記第１フレームに固定するための、前記平坦部に設けられた固定部と、
を有する結合部材を用いて前記第１フレームと前記第２フレームとを結合する第３工程、
を有することを特徴とするプロセスカートリッジの組立方法。
【請求項９】
電子写真画像形成装置本体に着脱可能なプロセスカートリッジの組立方法であって、
（ａ）第１フレームに、電子写真感光体ドラムと、前記電子写真感光体ドラムに残留するトナーを除去するためのクリーニング部材と、前記電子写真感光体ドラムを帯電するための帯電ローラとを支持させる第１工程，
（ｂ）第２フレームに、前記電子写真感光体ドラムに形成された潜像を現像するための現像ローラを支持させる第２工程，
・平坦部と、前記平坦部の側端から前記平坦部の長手方向へ延出している延出部とを有している基体，
・前記第１フレームと前記第２フレームとを互いに回動可能に結合するための軸，
・前記軸を取り付けるための、前記延出部に設けられた軸取り付け部、ここで、前記軸取り付け部は、前記延出部の長手方向と交差する方向に前記延出部から突出して設けられており、円筒状である、そして、前記円筒の内面に前記軸が嵌合している，
・前記第１フレームと前記第２フレームとの間に弾性力を付与するためのコイルスプリング，
・前記第２フレームに対して押圧するための、前記平坦部に設けられた押圧部、ここで、前記押圧部は、前記平坦部から前記軸取り付け部の位置する方向へ傾斜して突出している第１突出部と、前記第１突出部の先端に設けられた第２突出部とを有している、ここで、前記第１突出部及び第２突出部は、その突出方向から見て、外形が円形であって、前記第２突出部の外径は、前記第１突出部の外径よりも小さい、そして、前記第２突出部の有する円形の外面に対して前記コイルスプリングの一端が嵌合している，
・前記基体を前記第１フレームに固定するための爪、ここで、前記爪は、前記軸取り付け部の位置する方向へ傾斜して前記平坦部から突出しており、前記軸取り付け部と略平行である、そして、その爪先が前記押圧部の位置する方向へ向いている、そして、前記爪が前記第１フレームに弾性的に係合することにより前記平坦部は前記第１フレームに固定される、
を有する結合部材を用いて前記第１フレームと前記第２フレームとを結合する第３工程、
を有することを特徴とするプロセスカートリッジの組立方法。
【請求項１０】
第１フレームと、第２フレームとを結合するための結合部材であって、
（ａ）基体、
（ｂ）前記第１フレームと前記第２フレームとを互いに回動可能に結合するための軸を支持するための支持部，
（ｃ）弾性部材を押圧するための押圧部，
（ｄ）前記基体を固定するための固定部，
を有することを特徴とする結合部材。